(57)【要約】【課題】一般に雨水を流す勾配のついた構造の屋根及び屋上は構築物を作ること及び人が乗って活動するために作られていない，そのため屋上及び屋根の上スペースが有効に利用されていないケースが多い。また従来のＨ型固定バーを使う施工には施工上の課題があった。【解決手段】一般に作られている雨水を流す勾配のついた屋根及び屋上を有効利用するため屋根に負担を掛けない構築物の取付け方法及び屋根及び屋根材をいためない部材を用い，又屋根に施工用の穴を開けることなく施工を可能にした。屋根の雨水を流す勾配をとりながら上部を平坦にして構造物及び人の荷重に耐え，使うことを可能にし，Ｈ型固定バーを使わずに屋根押さえプレートを使うことで施工を容易にした。【選択図】図１１
2019183597.tif 000002
【特許請求の範囲】
【請求項１】
ルーフトップ接続カバー３溝基本タイプ，ルーフトップ接続カバー天ビスタイプ，又はルーフトップ接続カバー天１溝タイプのいずれかのタイプのルーフトップ接続カバー標準タイプと，ルーフ垂木根太鍔付きストッパータイプ又はルーフ垂木根太鍔無しストッパータイプのいずれかのタイプのルーフ垂木根太ストッパータイプと，ルーフ垂木根太Ｌアングル（１８）と，屋根押さえプレート平タイプ，屋根押さえプレートＬタイプ，又は屋根押さえプレートルーフ差込タイプ，のいずれかのタイプのプレート固定溝（１７）を有する屋根押さえプレートを有し，防水屋根材料の屋根上利用型システムルーフ勾配標準屋根，屋根上利用型システムルーフ水平標準屋根のいずれかの屋根上利用標準型システムルーフ又は屋根押さえプレート付きシステムルーフを有する，屋上利用ルーフ施工システム標準型用部材において，ルーフトップ接続カバー標準タイプは断面が凹型を逆さまにした様な形状で，ルーフ垂木根太ストッパータイプはレール形状を有した屋根構造部材であり，ルーフトップ接続カバー標準タイプは前記ルーフ垂木根太ストッパータイプと屋根防水材料の前記屋根上利用標準型システムルーフにかぶせるように接続及び取り付ける部材であり，ルーフトップ接続カバー標準タイプには両横側にサイドボルト取付け溝（５）及びトップボルト取付け溝（６）を有し，ビス取付け部（７）の下部に，ビス突き抜け空間（３）を有する，ルーフトップ接続カバー天ビスタイプ，両側にサイドボルト取付け溝（５），トップボルト取付け溝（６）を有し，ビス突き抜け空間（３）を有さないルーフトップ接続カバー３溝基本タイプ，又はサイドボルト取付け溝（５），ビス突き抜け空間（３）を有さない，ルーフトップ接続カバー天１溝タイプ，のいずれかであり，屋根押さえプレートは，屋根上利用標準型システムルーフをプレート固定ボルト穴（４）にプレート固定ボルト（４９）を入れて屋根押さえプレートを押さえて固定及びルーフトップ接続カバー標準タイプとルーフ垂木根太垂木根太ストッパータイプを固定し，ルーフ垂木根太Ｌアングル（１８）は梁構造材に屋根の構造部である垂木根太芯材（５１）を固定し，当該垂木根太芯材（５１）にルーフ垂木根太ストッパータイプを固定し，当該ルーフトップ接続カバー標準タイプにデッキ，フェンス，庭園，ソーラーシステムなどの構築物を取り付け及び施工し，ルーフトップ接続カバー標準タイプの最上端にかかる荷重はルーフトップ接続カバー標準タイプからルーフ垂木根太ストッパータイプ及び垂木根太芯材から建築構造物の主となる構造の梁及び桁から柱へと直接力が伝わる構造となっていて，防水が必要な屋根上利用標準型システムルーフ又は屋根押さえプレート付きシステムルーフ及び屋根下地部の野地板にかかる負担を少なくして作られることを特徴とする屋上利用ルーフ施工システム標準型用部材。
【請求項２】
前記載請求項１の屋上利用ルーフ施工システム標準型部材のルーフトップ接続カバー標準タイプはいずれのタイプも両側面に垂直鍔（８）と天端にトップボルト取付け溝（６）を有し，断面が凹型を逆さまにしたような形状で，両側面に垂直鍔（８）を有し，天端にトップボルト取付け溝（６）両サイドにサイドボルト取付け溝（５）を有し，ビス突き抜け空間（３）を有さないルーフトップ接続カバー３溝基本タイプ，天端にトップボルト取付け溝を兼ねるビス取付け部（７）の下部にビス取付け空間（３）を有し，両サイドにサイドボルト取付け溝（５）を有するルーフトップ接続カバー天ビスタイプ，天端にトップボルト取付け溝（６）を有し，サイドボルト取付け溝（５）とビス突き抜け空間（３）を有さないルーフトップ接続カバー天１溝タイプのいずれかであり，当該ルーフトップ接続カバー標準タイプのいずれかのタイプはルーフ垂木根太鍔付きストッパータイプ，又はルーフ垂木根太鍔無しストッパータイプのいずれかにかぶさる様にとりつき，垂木根太外側面（１３）とルーフトップ接続カバー標準タイプの垂直鍔（８）の内側面との間に屋根上利用標準型システムルーフを屋根押さえプレートを取付け，又は屋根押さえプレート付きシステムルーフ（５０）を取付け，プレート固定ボルト（４９）で固定し，ルーフトップ接続カバー標準タイプのいずれかのタイプとルーフ垂木根太ストッパータイプのいずれかのタイプを接続及び固定し，ルーフトップ接続カバー標準タイプのいずれかのタイプのトップボルト取付け溝（６），サイドボルト取付け溝（５），又はビス取付け部（７）を使い，デッキ，フェンスなどの構造物を取付けすることができることを特徴とする屋上利用ルーフ施工システム標準型用部材のルーフトップ接続カバー標準タイプ。
【請求項３】
前記載請求項１の屋上利用ルーフ施工システム標準型部材のルーフ垂木根太ストッパータイプは，凹型を逆さまにしたような形状の上部両端にストッパー機能を有するストッパー突起部（５６）を有し，当該ストッパー突起部（５６）から水平板状の垂木根太ストッパー鍔（１９）を有するルーフ垂木根太鍔付きストッパータイプ，当該ストッパー突起部（５６）を有し，ストッパー突起部（５６）から水平板状の垂木根太ストッパー鍔（１９）を有さない，ルーフ垂木根太鍔無しストッパータイプのいずれかであり，当該ルーフ垂木根太鍔付きストッパータイプ，又はルーフ垂木根太鍔無しストッパータイプは垂木根太芯材受け部（１２）を有し，ルーフ垂木根太Ｌアングル（１８）で梁構造材（４７）に固定された垂木根太芯材（５１）にルーフ垂木根鍔付きストッパータイプ又はルーフ垂木根太鍔無しストッパータイプを垂木根太芯材固定ビスを使って固定し，請求項１，請求項２記載のルーフトップ接続カバー標準タイプのいずれかのタイプを当該ルーフ垂木根太ストッパータイプのいずれかのタイプの上部からかぶせるように取付け，ルーフトップ接続カバー標準タイプの垂直鍔（８）と，垂木根太外側面（１３）の間へ屋根上利用標準型システムルーフのシステムルーフ立ち上がり（２１）を入れて，屋根押さえプレートでおさえ，又は屋根押さえプレート付きシステムルーフを当該垂直鍔（８）の内側へ入れて，ルーフトップ接続カバー標準タイプのプレート固定ボルト穴（４）へプレート固定ボルト（４９）を通し，屋根押さえプレートを固定することで，ルーフトップ接続カバー標準タイプとルーフ垂木根太ストッパータイプを固定することができることを特徴とする屋上利用ルーフ施工システム標準型用部材のルーフ垂木根太ストッパータイプ。
【請求項４】
前記載請求項１の屋上利用ルーフ施工システム標準型部材の屋根押さえプレートは，屋根押さえプレート平タイプ，屋根押さえプレートＬタイプ，屋根押さえプレートルーフ差込タイプのいずれかのタイプであり，当該いずれのタイプもプレート固定溝（１７）を有し，屋根上利用型システムルーフ勾配標準屋根又は屋根上利用型システムルーフ水平標準屋根を押さえて取り付け，固定する部材であり，屋根上利用型システムルーフ勾配標準屋根又は屋根上利用型システムルーフ水平標準屋根のシステムルーフ立ち上がり（２１）をルーフ垂木根太ストッパータイプのいずれかのタイプの垂木根太外側面（１３）とルーフトップ接続カバー標準タイプのいずれかのタイプの垂直鍔（８）間へ入れて，屋根押さえプレート平タイプ，屋根押さえプレートＬタイプ，又は屋根押さえプレートルーフ差込タイプのいずれかのタイプを使い，プレート固定ボルト穴（４）へプレート固定ボルト（４９）を差し込み，屋根上利用型システムルーフ勾配標準屋根又は屋根上利用型システムルーフ水平標準屋根のいずれかに穴をあけずに取り付けができることを特徴とする屋上利用ルーフ施工システム標準型用部材の屋根押さえプレート。
【請求項５】
前記載請求項１の屋上利用ルーフ施工システム標準型部材の屋根上利用標準型システムルーフは，凹型の断面をした板状の防水屋根材料で上端部を水平状態に取り付けた際に屋根面に勾配ができる屋根上利用型システムルーフ勾配標準屋根と上端部を水平状態に取り付けた際に屋根面が水平状態になる屋根上利用システムルーフ水平標準屋根のいずれかであり，屋根上利用型システムルーフ勾配標準屋根又は屋根上利用型システムルーフ水平標準屋根はシステムルーフ立ち上がり（２１）を有し，ルーフ垂木根太鍔付きストッパータイプ又はルーフ垂木根太鍔無しストッパータイプのいずれかのタイプの垂木根太外側面（１３）とルーフトップ接続カバー標準タイプのいずれかのタイプの垂直鍔（８）との間に入り，屋根押さえプレートで固定ができ，プレート固定ボルト（４９）で固定取り付けすることで，屋根上利用標準型システムルーフのいずれかが取りつき使用できることを特徴とする屋上利用ルーフ施工システム標準型用部材の屋根上利用標準型システムルーフ。
【請求項６】
前記載請求項１の屋上利用ルーフ施工システム標準型部材の屋根押さえプレート付きシステムルーフは屋根材料を固定する屋根押さえプレートを有する屋根材料であり，凹型の断面をした板状の防水屋根材料で上端部を水平状態に取り付けた際に屋根面に勾配ができる屋根上利用型システムルーフ勾配標準屋根と上端部を水平状態に取り付けた際に屋根面が水平状態になる屋根上利用システムルーフ水平標準屋根のいずれかに屋根押さえプレートを有した屋根押さえプレート付きシステムルーフ（５３）であり，屋根上利用型システムルーフ勾配標準屋根又は屋根上利用型システムルーフ水平標準屋根と屋根押さえプレートが一体になっていることを特徴とする屋上利用ルーフ施工システム標準型用部材の屋根押さえプレート付きシステムルーフ。
【請求項７】
前記載の請求項１，請求項２，請求項３，請求項４，請求項５，請求項６，又はいずれかを使って施工することを特徴とする屋上利用ルーフ施工システム標準型。
【発明の詳細な説明】
【技術分野】
【０００１】本発明は屋根の上に直接，デッキ，フェンス，庭園，ソーラーシステム，及び構築物などを取付けし，雨漏れを防ぐ施工を可能にした屋根材料と施工するシステムで，屋根の上に人が乗り利用することができる屋上の利用に関する。
【背景技術】
【０００２】この種の屋根材料と施工システムとして，本出願人の提案による屋上利用ルーフ施工システムが公知である（特許文献１），そこでは図４が示すように，ルーフトップ接続カバーとルーフ垂木根太セパレートタイプをＨ型固定バーを使用して接続固定し，図５で示すように，屋上利用型システムルーフの両側の立ち上がり部の上端がカギ状に曲がられて，図８で示すように屋上利用型システムルーフを屋根押さえバーで固定している。【０００３】Ｈ型固定バーをＨ型固定バー差込溝へ屋根の側面方向から差し込む方法で取付けるため施工現場のスペース，環境，条件によりＨ型固定バーの長さによっては施工を妨げるケースがあった。【０００４】一般に屋根に構築物及びデッキ，ソーラーシステムなどを直接取り付けて屋根の上を有効に利用がされることが少なく，屋根に人が乗って利用できる屋根材料や施工方法が発達していない。【０００５】屋根の上に構築物及びデッキ，ソーラーシステムなどの構築物を取り付け，屋上を利用する場合，屋根の構造材及び垂木等を補強せず，既存の屋根に直接取り付けるケースもあり，雨漏れの原因となっていた。
【先行技術文献】
【特許文献】
【０００６】
【特許文献１】特願２０１６−２１９１９７号公報
【発明の概要】
【発明が解決しようとする課題】本出願人の提案による屋上利用ルーフ施工システムが公知である（特許文献１）は屋根を傷めずに荷重に耐える屋根材料と施工システムにより好評であるが，図３のＨ型固定バーの取付けにおいて，ルーフ垂木根太とルーフトップ接続カバーの端部から差し込む施工方式であり，施工スペースがＨ型固定バーの長さ分必要用なることなどから取り外しの際に多少の問題がないわけではない。【０００７】屋根に構造物を取り付け，屋上を利用するために必要な荷重に耐え，雨漏れを防ぎ，使うことが出来る屋根の垂木及び根太などの構造材や接続材，屋根材及び固定材料，固定方法及び施工方法は十分ではなく，一般の屋根はそのまま屋上を利用することができない。【０００８】屋上を利用して構造物を取り付け，使用することは防水屋根材に傷つる可能性があること，取付け施工上，防水屋根材にボルト穴やビス穴をあけて取り付ける必要が有り，一般の屋根にそのまま取り付けることで，屋根に余分な負担が掛かって雨漏れの原因になっている。【０００９】屋根の上を利用して使うソーラーシステムは屋根にソーラーシステムの装置を取り付けるための架台などを一般の屋根に直接取り付けることが多く，これが雨漏れの原因となっている。【００１０】屋根に直接デッキ材料を取り付けること，屋根の上に直接庭園を造ること，又は人が乗れるスペースを作ることは難しい。
【課題を解決するための手段】
【００１１】本発明のルーフトップ接続カバー標準タイプのルーフトップ接続カバー３溝基本タイプ，ルーフトップ接続カバー天ビスタイプ，ルーフトップ接続カバー天１溝タイプとルーフ垂木根太ストッパータイプのルーフ垂木根太鍔付きストッパータイプ，ルーフ垂木根太鍔無しストッパータイプとルーフ垂木根太Ｌアングルと屋上利用標準型システムルーフの屋上利用型システムルーフ勾配標準屋根，屋上利用型システムルーフ水平標準屋根と屋根押さえプレートの屋根押さえプレート平タイプ，屋根押さえプレートＬタイプ，屋根押さえプレートルーフ差込タイプ又は屋根押さえプレート付きシステムルーフの材料又はいずれかの材料を使用して施工する屋上利用ルーフ施工システム標準型は従来の屋上利用ルーフ施工システムに比べ，Ｈ型固定バーを使わずに屋根押さえプレートを使用することで，ルーフトップ接続カバーの垂直鍔の下から屋根押さえプレートを差し込んで取付けを可能としとことで，施工部材料と施工方法を改善し，施工を容易にした。【００１２】防水屋根に直接構造物を取付けずに荷重に耐えることができる形状及び構造の屋上利用型ルーフ施工システム標準型用部材及び屋上利用型ルーフ施工システム標準型を考案し，使用することにより，防水屋根材に直接荷重かけること及び防水屋根材に直接穴をあけることなどの取付けをしないこと，施工を容易にしたことで屋上の雨漏れを無くし，又荷重に耐え，構築物を取付けて使用することを可能にした。【００１３】ルーフトップ接続カバー標準タイプ，屋根押さえプレート，ルーフ垂木根太ストッパータイプなどの種類を増やし，用途により選択して材料を選ぶことができ，施工を簡素化できたことである。
【発明の効果】
【００１４】本発明においては，図１で示すようにルーフトップ接続カバー３溝基本タイプ，ルーフトップ接続カバー天ビスタイプ，ルーフトップ接続カバー天１溝タイプタイプ，ルーフ垂木根太鍔無しストッパータイプは材料断面の形状が，従来の（特許文献１）の屋上利用ルーフ施工システムと異なり，図４で示すように屋根上利用標準型システムルーフのシステムルーフ立ち上がり（２１）の上端部にかぎ状の折れがなく，施工取り付け方法は屋根押さえプレート，又は屋根押さえプレート付きシステムルーフをルーフトップ接続カバーの鍔の下から入れて取り付けることができるものであり，同時にルーフトップ接続カバーとルーフ垂木根太を固定することができ，Ｈ型固定バーを端部の側面から差し込む必要がなく，施工を容易にすることができ，取り外し，部材の取り換え，メンテナンスを容易にした。
【図面の簡単な説明】
【００１５】
【図１】（Ａ）ルーフトップ接続カバー天ビスタイプの断面図，接続カバートップ（１），ボルト差込穴（２），ビス突き抜け空間（３），プレート固定ボルト穴（２），サイドボルト取付け溝（５），トップボルト取付け溝（６），ビス取付け部（７），垂直鍔（８），（Ｂ）ルーフトップ接続カバー３溝基本タイプの断面図，（Ｃ）ルーフトップ接続カバー天ビスタイプ（５４）の鳥瞰図，（Ｄ）ルーフトップ接続カバー天１溝タイプ（５５）にルーフ垂木根太鍔無しストッパータイプ（５７）を取り付けた断面図，ストッパー突起部（５６）。
【図２】（Ａ）ルーフ垂木根太鍔無しストッパータイプの鳥瞰図，（Ｂ）ルーフ垂木根太鍔無しストッパータイプの断面図，（Ｃ）ルーフ垂木根太鍔付きストッパータイプの鳥観図，（Ｄ）ルーフ垂木根太鍔付きストッパータイプの断面図。
【図３】（Ａ）ルーフ垂木根太鍔付きストッパータイプ（５０），垂木根太ストッパー鍔（１９），垂木根太芯材受け部（１２），垂木根太外側面（１３），ルーフトップ接続カバー天ビスタイプ（５４），垂直鍔（８），エンドカバー取付け穴（１０），システムルーフ立ち上がり（２１），屋根押さえバーＬタイプを組み合わせした断面図，（Ｂ）屋根押さえプレート平タイプの断面図と鳥観図，（Ｃ）屋根押さえプレートＬタイプの断面図と鳥観図，（Ｄ）屋根押さえプレートルーフ差込タイプの断面図と鳥観図。
【図４】ルーフ垂木根太Ｌアングル（１８），アングル固定ボルト（４８），ルーフ垂木根太鍔付きストッパータイプ（５０），垂木根太ストッパー鍔（１９），垂木根太芯材（５１），ルーフトップ接続カバー天ビスタイプ（５４），屋根押さえプレートＬタイプ（１５），システムルーフ立ち上がり（２１）を組み合わせた断面図。
【図５】（Ａ）屋根上利用型システムルーフ勾配標準屋根の鳥瞰図，（Ｂ）屋根上利用型システムルーフの勾配標準屋根の断面図，（Ｃ）屋根上利用型システムルーフ水平標準屋根の鳥瞰図，（Ｄ）屋根上利用型システムルーフ水平標準屋根の断面図。
【図６】（Ａ）屋根上利用型システムルーフ勾配標準屋根，勾配屋根部（２７）屋根下地材桟（３５），屋根平板下地材野地板（３６），ルーフ水上立ち上げ（３８），ルーフ掴み込み折り曲げ（３９），を組み合わせた鳥観図，（Ｂ）屋根上利用型システムルーフ勾配標準屋根，屋根下地材桟（３５），屋根平板下地材野地板（３６），ルーフ水上立ち上げ（３８），ルーフ掴み込み折り曲げ（３９）を組み合わせた断面図，（Ｃ）屋根上利用型システムルーフ水平屋根材，屋根下地材（３５），屋根格子桟材（３７），ルーフ掴み込み折り曲げ（３９）を組み合わせた鳥観図，（Ｄ）屋根上利用型システムルーフ水平屋根材，屋根下地材（３５），屋根格子桟材（３７），ルーフ掴み込み折り曲げ（３９）を組み合わせた断面図。
【図７】（Ａ）屋根押さえプレート付きシステムルーフ勾配標準屋根の鳥観図，（Ｂ）屋根押さえプレート付きシステムルーフ勾配標準屋根の断面図，（Ｃ）屋根押さえプレート付きシステムルーフ水平標準屋根の鳥観図，（Ｄ）屋根押さえプレート付きシステムルーフ水平標準屋根の断面図，
【図８】（Ａ）屋根上利用型システムルーフ勾配標準屋根の断面図，（Ｂ）屋根上利用型システムルーフ勾配標準屋根，梁構造材（４７），アングル固定ボルト（４８），ルーフ垂木根太Ｌアングル（１８），システムルーフ立ち上がり（２１），システムルーフ勾配水上（２３），システムルーフ勾配水下（２４），ルーフ垂木根太鍔付きストッパータイプ（５０），ルーフトップ接続カバー天ビスタイプ（５４），屋根押さえプレート平タイプ（１４），プレート固定ボルト（４９），システムルーフ立ち上り（２１），垂木根太芯材（５１），デッキ材（４０），垂木根太芯材固定ビス（２２），天ビス（３４）を組み合わせて取り付けた断面図。
【図９】屋根上利用型システムルーフ勾配標準屋根（２０），梁構造材（４７），結露防止断熱材スペース（４１），屋根下地材スペース（４２），ルーフ垂木根太鍔付きストッパータイプ（５０），ルーフトップ接続カバー天ビスタイプ（５４），屋根押さえプレートルーフ差込タイプ（１６），プレート固定ボルト（４９），架台又はフェンス取り付けボルト（４３），屋根上利用型システムルーフ標準屋根，システムルーフ立ち上がり（２１），ルーフトップ接続カバー天ビスタイプ（５４），架台又はフェンス柱取付け金物（４５），サイドボルト（５２），垂木根太芯材固定ビス（２２），架台又はフェンス柱（４４）を組み合わせて取り付けた断面図。
【図１０】（Ａ）ルーフトップ接続カバー天ビスタイプ（５４），デッキ（４０），天ビスデッキ用金物（３３），天ビス（３４），を組み合わせて取り付けた平面図，（Ｂ），ルーフ垂木根太鍔付きストッパータイプ（５０），屋根押さえプレート付きシステムルーフ（５３），プレート固定ボルト（４９），デッキ材（４０），天ビスデッキ用金物（３３），天ビス（３４），を組み合わせて取り付けた断面図。
【図１１】構造材柱（４６），梁構造材（４７），ルーフ垂木根太Ｌアングル（１８），垂木根太芯材（５１），ルーフ垂木根太鍔付きストッパータイプ（５０），ルーフトップ接続カバー天ビスタイプ（５４），デッキ材（４０）を組み合わせて取り付けた鳥観図。
【発明を実施するための形態】
【００１６】
【実施例】
【００１７】図１（Ａ）はルーフトップ接続カバー天ビスタイプ断面図で，接続カバートップ（１）は最上端であり，トップボルト取付け溝（６）サイドボルト取付け溝（５），にボルトや取付け金物を取付けし，デッキ，フェンス柱，庭園固定材，構築物を取り付け，ビス取付け部（７）から施工したビスはビス突き抜け空間（３）に突き抜けて施工される。（Ｂ）ルーフトップ接続カバー３溝基本タイプの断面図で，ビス突き抜け空間（３）を有さないタイプでルーフトップ接続カバー天ビスタイプに比べてサイズを小さくすることができる。（Ｃ）ルーフトップ接続カバー天ビスタイプの鳥観図で，ルーフトップ接続カバー標準タイプは全てのタイプがボルト差込穴（２）からボルトを差し込み施工することができ，サイドボルト差込溝に入った雨水や散水はボルト差込穴（２）から排出される。（Ｄ）ルーフトップ接続カバー天１溝タイプ（５５）にルーフ垂木根太鍔無しストッパータイプ（５７）を取り付けた断面図であり，デッキや屋上構造物を取り付ける最上端部のトップボルト取付け溝（６）を一か所有し，サイドボルト取付け溝（５）がないタイプであり，ルーフトップ接続カバー３溝基本タイプに比べてサイズを小さくすることができる。ルーフトップ接続カバー標準タイプにトップボルト取付け溝（６）及びサイドボルト取付け溝（５）のいずれかを２か所以上複数有してもかまわない，当該ルーフトップ接続カバー標準タイプの垂直鍔の内側に三角形状又は多角形状の突起したルーフ垂木根太ストッパータイプの上方からはめ込むことができるストッパーを有することもできる。【００１８】図２（Ａ），（Ｂ）はルーフ垂木根太鍔無しストッパータイプで，ストッパー突起部（５６）を上部両側に有し，エンドカバー取付け穴（１０）を有し，垂木根太芯材取付け部（１２）を有し，ルーフ垂木根太取付け固定穴（１１）を有し，垂木根太外側面（１３）を有している。図２（Ｃ），（Ｄ）はルーフ垂木根太鍔付きストッパータイプで，ストッパー突起部（５６）と垂木根太ストッパー鍔（１９）を上部両側に有し，エンドカバー取付け穴（１０）を有し，垂木根太芯材取付け部（１２）を有し，ルーフ垂木根太取付け固定穴（１１）を有し，垂木根太外側面（１３）を有し，ストッパー突起部（５６）は屋根押さえプレートを取り付けることでストッパー突起部（５６）に屋根押さえプレートがあたりルーフトップ接続カバー標準タイプを固定する。【００１９】図３（Ａ）はルーフ垂木根太鍔付きストッパータイプ（５０）のストッパー突起部（５６），垂木根太ストッパー鍔（１９）の下部と垂木根太外側面（１３）にシステムルーフ立ち上がり（２１）を取り付けし，ルーフトップ接続カバー天ビスタイプ（５４）をかぶせるように取付けし，ルーフトップ接続カバー天ビスタイプ（５４）の垂直鍔（８）のプレート固定ボルト穴（４）の外側からプレート固定ボルト（４９）を差し込み，屋根押さえプレートＬタイプ（１５）をシステムルーフ立ち上がり（２１）に当てるように取付けし，プレート固定ボルト（４９）をプレート固定溝（１７）に当てて固定し，ルーフ垂木根太鍔付きストッパータイプ，屋根上利用標準型システムルーフ，  ルーフトップ接続カバー天ビスタイプ（５４）を接���して固定し，エンドカバー取付け穴（１０）を使ってルーフ垂木根太鍔付きストッパータイプ（５０）とルーフトップ接続カバー天ビスタイプ（５４）の端部プレートを取り付けし，ふさいで固定する，屋上利用型ルーフ施工システム標準型用部材と屋上利用型ルーフ施工システム標準型。（Ｂ）屋根押さえプレート平タイプの断面図と鳥観図（Ｃ）屋根押さえプレートＬタイプの断面図と鳥観図（Ｄ）屋根押さえプレートルーフ差込タイプの断面図と鳥観図である。【００２０】図４はルーフ垂木根太Ｌアングル（１８）をアングル固定ボルト（４８）で取付け，垂木根太芯材（５１）を垂木根太芯材固定ビス（２２）で取付け，ルーフ垂木根太鍔付きストッパータイプ（５０）を垂木根太芯材（５１）に取付け，ルーフトップ接続カバー天ビスタイプ（５４）をルーフ垂木根太鍔付きストッパータイプ（５０）にかぶせるように取付け，垂木根太外側面（１３）にシステムルーフ立ち上がり（２１）と屋根押さえプレートＬタイプ（１５）をプレート固定ボルト（４９）で固定したものである。ルーフ垂木根太ストッパータイプはルーフ垂木根太Ｌアングルと繋がっていてもかまわない，【００２１】図５（Ａ）は屋根上利用型システムルーフ勾配標準屋根の鳥観図，（Ｂ）は屋上利用ルーフ施工システム勾配標準屋根の断面図で，断面が凹型をした板状の防水屋根材料で，システムルーフ立ち上がり（２１）の水上立上げ（２５）の高さが水下立ち上げ（２６）に比べて少なく，屋根上利用型システムルーフ勾配標準屋根の上端部を水平状態に取り付けた際に勾配屋根（２７）がシステムルーフ勾配水上（２３）からシステムルーフ勾配水下（２４）へ傾斜することで屋根面（２７）に降った雨水や散水は前記システムルーフ勾配水上（２３）からシステムルーフ勾配水下（２４）へ流れる構造である。（Ｃ）は屋上利用ルーフ施工システム水平標準屋根の鳥観図，（Ｄ）屋上利用ルーフ施工システム水平標準屋根の断面図で，断面が凹型をした板状の防水屋根材料で，システムルーフ立ち上がり（２１）の水平水上立ち上げ（３１）の高さが水平水下立ち上げ（３２）と同じであり，屋根上利用型システムルーフ水平標準屋根の上端部水平状態に取り付けた際に屋根面（２８）が水平状態になる構造である。【００２２】図６（Ａ）屋根上利用型システムルーフ勾配標準屋根の鳥観図（Ｂ），屋根上利用型システムルーフ勾配標準屋根の断面図（Ｃ）で，断面が凹型の板状で，屋根下地材桟（３５）と屋根平板下地材野地板（３６）を取り付け施工し，ルーフ水上立上げ（３８）からルーフ掴み込み折り曲げ（３９）方向へ勾配屋根（２７）に傾斜が付いていて雨水が流れる構造で，勾配屋根（２７）の端部を掴むように折り曲げて，ルーフ掴み込み折り曲げ（３９）を施工し，屋根上利用型システムルーフ勾配標準屋根を二つ，ルーフ水上立上げ（３８）部分で合わせて取り付けることで，ルーフ水上立上げ（３８）からルーフ掴み込み折り曲げ（３９）の両方向へ二つの屋根上利用型システムルーフ勾配標準屋根の勾配屋根（２７）が傾斜して勾配屋根（２７）に降る雨水，散水を流すことができる。（Ｃ）屋根下地材桟（３５）に屋根格子桟材（３７）を取り付け，屋根上利用型システムルーフ水平標準屋根を勾配屋���を取り付けし，水平屋根（２８）の端部を掴むように折り曲げて，屋根格子桟材（３７）に取り付けた，ルーフ掴み込み折り曲げ（３９）の施工をしたものである。【００２３】図７（Ａ）は屋根押さえプレート付きシステムルーフの鳥観図，（Ｂ）は屋根押さえプレート付きシステムルーフの断面図で，断面が凹型をした板状の防水屋根材料で，システムルーフ立ち上がり（２１）の水上立上げ（２５）の高さが水下立ち上げ（２６）に比べて少なく，屋根上利用型システムルーフ勾配標準屋根の上端部を水平状態に取り付けた際に勾配屋根（２７）がシステムルーフ勾配水上（２３）からシステムルーフ勾配水下（２４）へ傾斜することで勾配屋根（２７）に降った雨水や散水は前記システムルーフ勾配水上（２３）からシステムルーフ勾配水下（２４）へ流れる構造であり，二つのシステムルーフ立ち上がり（２１）の上端部に屋根押さえプレートを有したものである。（Ｃ）は屋根押さえプレート付きシステムルーフの鳥観図，（Ｄ）屋根押さえプレート付きシステムルーフの断面図で，断面が凹型をした板状の防水屋根材料で，水平システムルーフ水上（２９）から水平システムルーフ水下（３０）へ水平屋根（２８）で勾配がなく，システムルーフ立ち上がり（２１）の水平水上立ち上げ（３１）の高さが水平水下立ち上げ（３２）と同じであり，屋根上利用型システムルーフ水平標準屋根の上端部水平状態に取り付けた際に屋根面（２８）が水平状態になる構造であり，二つのシステムルーフ立ち上がり（２１）の上端部に屋根押さえプレートを有したものである。【００２４】図８（Ａ）は屋根上利用型システムルーフ勾配標準屋根の断面図で，システムルーフ勾配水上（２３），システムルーフ勾配水下（２４），システムルーフ立ち上がり（２１）である。（Ｂ）梁構造材（４７）にルーフ垂木根太Ｌアングル（１８）をアングル固定ボルト（４８）で取付けし，垂木根太芯材（５１）を取り付けし，ルーフ垂木根太鍔付きストッパータイプ（５０）を垂木根太芯材固定ビス（２２）で取付けし，ルーフトップ接続カバー天ビスタイプ（５４）をルーフ垂木根太鍔付きストッパータイプ（５０）にかぶせるように取付けし，システムルーフ立ち上がり（２１）をルーフ垂木根太外側面（１３）と屋根押さえプレート平タイプ（１４）の間へ挟まる様に取付け屋根押さえプレート平タイプ（１４）をプレート固定ボルト（４９）で固定し，ルーフトップ接続カバー天ビスタイプの最上端の接続カバートップ（１）へデッキ材（４０）を天ビス（３４）で取り付けたものである。【００２５】図９は梁構造材（４７）にルーフ垂木根太Ｌアングルと垂木根太芯材を垂木根太芯材固定ビス（２２）で取付けし，ルーフ垂木根太鍔付きストッパータイプ（５０）を垂木根太芯材に垂木根太固定ビス（２２）で固定し，結露防止断熱材スペース（４１）及び屋根下地材スペース（４２）をあけて，屋根上利用型システムルーフ勾配標準屋根（２０）のルーフ立ち上がり（２１）の上端部に屋根押さえプレートルーフ差込タイプ（１６）を取り付けした屋根上利用型システムルーフ勾配標準屋根（２０）とルーフ垂木根太鍔付きストッパータイプ（５０）をかぶせるようにルーフトップ接続カバー天ビスタイプ（５４）を取���けし，プレート固定ボルト（４９）で屋根押さえプレートルーフ差込タイプ（１６）を固定し，ルーフトップ接続カバー天ビスタイプ（５４）のサイドボルト取付け溝（５）にサイドボルト（５２）で架台又はフェンス取付け金物（４５）を固定し，架台又はフェンス柱（４４）を架台又はフェンス取付けボルト（４３）で固定したものである。【００２６】図１０（Ａ）はルーフトップ接続カバー天ビスタイプ（５４）にデッキ材（４０）を天ビスデッキ用金物（３３）に，天ビス（３４）を使用してデッキ材（４０）を取り付けしたものを上部から見た平面図である。（Ｂ）梁構造材にルーフ垂木根太Ｌアングルをアングル固定ボルトで取付けし，垂木根太芯材を取り付けし，ルーフ垂木根太鍔付きストッパータイプ（５０）を垂木根太芯材固定ビスで取付けし，ルーフトップ接続カバー天ビスタイプ（５４）をルーフ垂木根太鍔付きストッパータイプ（５０）にかぶせるように取付けし，屋根押さえプレート付きシステムルーフのシステムルーフ立ち上がり（２１）をルーフ垂木根太外側面とルーフトップ接続カバー天ビスタイプ（５４）の垂直鍔の間に入れて，屋根押さえプレート付きシステムルーフ（５３）の屋根押さえプレートのプレート固定溝（１７）部分にプレート固定ボルト（４９）を当てて固定し，ルーフトップ続カバー天ビスタイプの最上端の接続カバートップにデッキ材（４０）をのせるように取付けし，天ビス（３４）で取り付けたものである。【００２７】図１１は構造材柱（４６）に梁構造材（４７）を取り付けし，垂木根太芯材（５１）をルーフ垂木根太Ｌアングル（１８）で取付け固定し，ルーフ掴み込み折り曲げ（３９）を施工し，屋根上利用型システムルーフ勾配標準屋根（２０）を取り付けし，ルーフ垂木根太鍔付きストッパータイプ（５０）とルーフトップ接続カバー天ビスタイプ（５４）を取り付けし，ルーフトップ接続カバー天ビスタイプ（５４）の接続カバートップ（１）にデッキ材（４０）を取り付けたものである。
【産業上の利用可能性】
【００２８】本発明は勾配のついた屋根で雨水や散水を流し，屋根を利用するためにかかる荷重に耐え，屋根をいためず，屋上の利用を可能にしたもので，従来のＨ型固定バーを使わずに屋根押さえプレートを使って施工できることから施工を容易にし，材料の形状を変えて，材重量を少なくできることで，従来のものと比較してコストを削減できることから産業上の利用が十分に期待できる。
【符号の説明】
【００２９】１  接続カバートップ
２  ボルト差込穴
３  ビス突き抜け空間
４  プレート固定ボルト穴
５  サイドボルト取付け溝
６  トップボルト取付け溝
７  ビス取付け部
８  垂直鍔
９  ルーフ垂木根太差込受け部
１０エンドカバー取付け穴
１１ルーフ垂木根太取付け固定穴
１２垂木根太芯材受け部
１３垂木根太外側面
１４屋根押さえプレート平タイプ
１５屋根押さえプレートＬタイプ
１６屋根押さえプレートルーフ差込タイプ
１７プレート固定溝
１８ルーフ垂木根太Ｌアングル
１９垂木根太ストッパー鍔
２０屋根上利用型システムルーフ勾配標準屋根
２１システムルーフ立ち上がり
２２垂木根太芯材固定ビス
２３システムルーフ勾配水上
２４システムルーフ勾配水下
２５水上立上げ（勾配あり）
２６水下立上げ（勾配あり）
２７勾配屋根（水勾配あり）
２８水平屋根（水勾配なし）
２９水平システムルーフ水上
３０水平システムルーフ水下
３１水平水上立ち上げ
３２水平水下立ち上げ
３３天ビスデッキ用金物
３４天ビス
３５屋根下地材桟
３６屋根平板下地材野地板
３７屋根格子桟材
３８ルーフ水上立ち上げ
３９ルーフ掴み込み折り曲げ
４０デッキ材
４１結露防止断熱材スペース
４２屋根下地材スペース
４３架台又はフェンス取り付けボルト
４４架台又はフェンス柱
４５架台又はフェンス柱取付け金物
４６構造材柱
４７梁構造材
４８アングル固定ボルト
４９プレート固定ボルト
５０ルーフ垂木根太鍔付きストッパータイプ
５１垂木根太芯材
５２サイドボルト
５３屋根押さえプレート付きシステムルーフ
５４ルーフトップ接続カバー天ビスタイプ
５５ルーフトップ接続カバー天１溝タイプ
５６ストッパー突起部
５７ルーフ垂木根太鍔無しストッパータイプ
【図１】
2019183597.tif 000003
【図２】
2019183597.tif 000004
【図３】
2019183597.tif 000005
【図４】
2019183597.tif 000006
【図５】
2019183597.tif 000007
【図６】
2019183597.tif 000008
【図７】
2019183597.tif 000009
【図８】
2019183597.tif 000010
【図９】
2019183597.tif 000011
【図１０】
2019183597.tif 000012
【図１１】
2019183597.tif 000013